Podtech/llm-jp-corpus-v4-ja_patent huggingface dataset:
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
電子部品が搭載された回路基板を収納可能であり、射出成形により形成された樹脂成形品から構成される基板ケースを備え、
前記基板ケースは、
該基板ケースの内面から外面に通じる放熱孔と、
金型から樹脂成形品を離型させるときに生じたエジェクタピン痕と、
を有し、
前記放熱孔における前記基板ケースの内面側の開口は外面側の開口よりも大きく、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域の前記エジェクタピン痕の数は、前記非特定領域の前記エジェクタピン痕の数よりも多い、
ことを特徴とする遊技機。
【手続補正２】
【補正対象書類名】明細書
【補正対象項目名】０００７
【補正方法】変更
【補正の内容】
【０００７】
手段１の遊技機は、
遊技が可能な遊技機（例えば、スロットマシン１Ａやパチンコ遊技機１Ｂなど）であって、
電子部品（例えば、演出制御用ＣＰＵ１２０やＲＯＭ１２１など）が搭載された回路基板（例えば、演出制御基板２０１，２１１）を収納可能であり、射出成形により形成された樹脂成形品から構成される基板ケース（例えば、基板ケース２００，２１０）を備え、
前記基板ケースは、
該基板ケースの内面（例えば、内面２１３Ｎ）から外面（例えば、外面２１３Ｓ）に通じる放熱孔（例えば、放熱孔２２０）と、
金型から樹脂成形品を離型させるときに生じたエジェクタピン痕と、
を有し、
前記放熱孔における前記基板ケースの内面側の開口（例えば、第１開口２２０Ａ）は外面側の開口（例えば、第２開口２２０Ｂ）よりも大きく（Ｒ１＞Ｒ２、図５参照）、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域の前記エジェクタピン痕の数は、前記非特定領域の前記エジェクタピン痕の数よりも多い、
ことを特徴としている。
この特徴によれば、放熱孔の内面側の開口が外面側の開口よりも大きいことで、基板ケース内の容積が増大して基板ケース内で熱気が流動しやすくなるので、放熱効果が高まる。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部の変動表示を停止することで表示結果を導出し、複数の可変表示部の表示結果の組合せである表示結果組合せに応じて入賞が発生可能なスロットマシンにおいて、
表示結果が導出される前に、導出が許容される表示結果組合せを決定する事前決定手段と、
遊技者が表示結果を導出させるために操作する導出操作手段と、
表示結果を導出する制御を行う導出制御手段と、
を備え、
前記導出制御手段は、
前記事前決定手段の決定結果が第１決定結果となったときに、特定可変表示部に特定識別情報を含む表示結果を導出可能に制御を行い、
前記事前決定手段の決定結果が第２決定結果となり、前記導出操作手段が第１操作態様で操作されたときに、前記特定可変表示部に前記特定識別情報を含む表示結果以外の表示結果を導出させる制御を行い、
前記事前決定手段の決定結果が前記第２決定結果となり、前記導出操作手段が第２操作態様で操作されたときに、前記特定可変表示部に前記特定識別情報を含む表示結果を導出可能に制御を行い、
前記事前決定手段の決定結果が前記第２決定結果となったときの方が前記第１決定結果となったときよりも遊技者にとって不利であり、
前記事前決定手段の決定結果が前記第1決定結果となり、前記特定可変表示部に前記特定識別情報を含む表示結果が導出されたときに、前記特定識別情報に対応する特定報知を実行し、
前記事前決定手段の決定結果が前記第２決定結果となり、前記特定可変表示部に前記特定識別情報を含む表示結果が導出されたときに、前記特定報知を実行しない、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００６
【補正方法】変更
【補正の内容】
【０００６】
（Ａ）  各々が識別可能な複数種類の識別情報（図柄）を変動表示可能な可変表示部（リール２Ｌ、２Ｃ、２Ｒ）を複数備え、
前記可変表示部の変動表示を停止することで表示結果を導出し、複数の可変表示部の表示結果の組合せである表示結果組合せに応じて入賞が発生可能なスロットマシン（スロットマシン１）において、
表示結果が導出される前に、導出が許容される表示結果組合せを決定する事前決定手段（内部抽選）と、
遊技者が表示結果を導出させるために操作する導出操作手段（ストップスイッチ８Ｌ、８Ｃ、８Ｒ）と、
表示結果を導出する制御を行う導出制御手段（メイン制御部４１）と、
前記導出制御手段は、
前記事前決定手段の決定結果が第１決定結果（中段チェリー）となったときに、特定可変表示部（左リール２Ｌ）に特定識別情報（チェリーａまたはチェリーｂ）を含む表示結果を導出可能に制御を行い、
前記事前決定手段の決定結果が第２決定結果（中ベル３）となり、前記導出操作手段（ストップスイッチ８Ｌ、８Ｃ、８Ｒ）が第１操作態様（中第１停止操作）で操作されたときに、前記特定可変表示部（左リール２Ｌ）に前記特定識別情報（チェリーａ及びチェリーｂ）を含む表示結果以外の表示結果を導出させる制御を行い、
前記事前決定手段の決定結果が前記第２決定結果（中ベル３）となり、前記導出操作手段（ストップスイッチ８Ｌ、８Ｃ、８Ｒ）が第２操作態様（左第１停止操作）で操作されたときに、前記特定可変表示部（左リール２Ｌ）に前記特定識別情報（チェリーａ）を含む表示結果を導出可能に制御を行い、
前記事前決定手段の決定結果が前記第２決定結果（中ベル３）となったときの方が前記第１決定結果（中段チェリー）となったときよりも遊技者にとって不利であり、
前記事前決定手段の決定結果が前記第1決定結果（中段チェリー）ととなり、前記特定可変表示部に前記特定識別情報（チェリーａ）を含む表示結果が導出されたときに、前記特定識別情報に対応する特定報知（リールＬＥＤ５５を点滅）を実行し、
前記事前決定手段の決定結果が前記第２決定結果（中ベル３）となり、前記特定可変表示部に前記特定識別情報（チェリーａ）を含む表示結果が導出されたときに、前記特定報知を実行しない。
（手段１）  各々が識別可能な複数種類の識別情報（図柄）を変動表示可能な可変表示部（リール２Ｌ、２Ｃ、２Ｒ）を複数備え、
前記可変表示部の変動表示を停止することで表示結果を導出し、複数の可変表示部の表示結果の組合せである表示結果組合せに応じて入賞が発生可能なスロットマシン（スロットマシン１）において、
表示結果が導出される前に、導出が許容される表示結果組合せを決定する事前決定手段（内部抽選）と、
遊技者が表示結果を導出させるために操作する導出操作手段（ストップスイッチ８Ｌ、８Ｃ、８Ｒ）と、
表示結果を導出する制御を行う導出制御手段（メイン制御部４１）と、
前記導出制御手段は、
前記事前決定手段の決定結果が第１決定結果（中段チェリー）となったときに、特定可変表示部（左リール２Ｌ）に特定識別情報（チェリーａまたはチェリーｂ）を含む表示結果を導出可能に制御を行い、
前記事前決定手段の決定結果が第２決定結果（中ベル３）となり、前記導出操作手段（ストップスイッチ８Ｌ、８Ｃ、８Ｒ）が第１操作態様（中第１停止操作）で操作されたときに、前記特定可変表示部（左リール２Ｌ）に前記特定識別情報（チェリーａ及びチェリーｂ）を含む表示結果以外の表示結果を導出させる制御を行い、
前記事前決定手段の決定結果が前記第２決定結果（中ベル３）となり、前記導出操作手段（ストップスイッチ８Ｌ、８Ｃ、８Ｒ）が第２操作態様（左第１停止操作）で操作されたときに、前記特定可変表示部（左リール２Ｌ）に前記特定識別情報（チェリーａ）を含む表示結果を導出可能に制御を行い、
前記事前決定手段の決定結果が前記第２決定結果（中ベル３）となったときの方が前記第１決定結果（中段チェリー）となったときよりも遊技者にとって不利であり、
前記事前決定手段の決定結果が前記第２決定結果（中ベル３）となり、前記特定可変表示部（左リール２Ｌ）に前記特定識別情報（チェリーａ）を含む表示結果が導出されたときに、前記事前決定手段の決定結果が前記第１決定結果（中段チェリー）となり、前記特定可変表示部（左リール２Ｌ）に前記特定識別情報（チェリーａ）を含む表示結果が導出されたときよりも表示結果の視認性を悪くする
ことを特徴としている。
この特徴によれば、事前決定手段の決定結果が第１決定結果となったときにも、第２決定結果となり、導出操作手段が第２操作態様で操作されたときにも、特定可変表示部に特定識別情報を含む表示結果が導出され得る一方で、事前決定手段の決定結果が前記第２決定結果となったときの方が前記第１決定結果となったときよりも遊技者にとって不利であるが、事前決定手段の決定結果が第２決定結果となり、特定可変表示部に特定識別情報を含む表示結果が導出されたときに、事前決定手段の決定結果が第１決定結果となり、特定可変表示部に特定識別情報を含む表示結果が導出されたときよりも表示結果の視認性を悪くするので、遊技者にとって有利な状況でないにも関わらず、有利な状況であるとの誤解を与えてしまうことを防止できる。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
プログラムに基づいて命令を実行する命令実行手段と、
第１プログラムが記憶される第１プログラム領域と、第２プログラムが記憶される第２プログラムと、を有するプログラム記憶手段と、を備え、
前記プログラム記憶手段においてプログラムが記憶される領域は複数バイトのアドレスが割り当てられ、
前記命令実行手段は、前記第１プログラム領域から前記第１プログラムを呼び出す第１特別命令を実行可能であるとともに、前記第１プログラム領域から前記第１プログラムを呼び出す第２特別命令を実行可能であり、
前記第１特別命令を実行することにより、予め定められた数値と当該第１特別命令により指定された前記アドレスよりも小さな数値から前記第１プログラム領域のアドレスを特定し、特定したアドレスから前記第１プログラムを呼び出すことが可能であり、
前記第２特別命令を実行することにより、当該第２特別命令により指定された前記アドレスよりも小さな数値から前記第１プログラム領域のアドレスを特定し、特定したアドレスから前記第１プログラムを呼び出すことが可能であり、
前記第１プログラムにもとづいて前記第１特別命令および前記第２特別命令が実行され得る一方、前記第２プログラムにもとづいて前記第１特別命令および前記第２特別命令が実行されない、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
プログラムに基づいて命令を実行する命令実行手段（たとえば、メイン制御部４１）と、
第１プログラム（たとえば、遊技プログラム）が記憶される第１プログラム領域と、第２プログラムが記憶される第２プログラム（たとえば、非遊技プログラム）と、を有するプログラム記憶手段（たとえば、ＲＯＭ４１ｂ）と、を備え、
前記プログラム記憶手段においてプログラムが記憶される領域は複数バイトのアドレス（たとえば、該アドレスの上位アドレスと下位アドレス）が割り当てられ、
前記命令実行手段は、前記第１プログラム領域から前記第１プログラムを呼び出す第１特別命令（たとえば、ＣＡＬＬＶ命令）を実行可能であるとともに、前記第１プログラム領域から前記第１プログラムを呼び出す第２特別命令（たとえば、ＲＳＴ命令）を実行可能であり、
前記第１特別命令を実行することにより、予め定められた数値と当該第１特別命令により指定された前記アドレスよりも小さな数値から前記第１プログラム領域のアドレスを特定し、特定したアドレスから前記第１プログラムを呼び出すことが可能であり、
前記第２特別命令を実行することにより、当該第２特別命令により指定された前記アドレスよりも小さな数値から前記第１プログラム領域のアドレスを特定し、特定したアドレスから前記第１プログラムを呼び出すことが可能であり、
前記第１プログラムにもとづいて前記第１特別命令および前記第２特別命令が実行され得る一方、前記第２プログラムにもとづいて前記第１特別命令および前記第２特別命令が実行されない（たとえば、遊技プログラムではＲＳＴ命令およびＣＡＬＬＶ命令は用いられるが、非遊技プログラムではＲＳＴ命令およびＣＡＬＬＶ命令は用いられない）。
（１）  遊技を行うことが可能な遊技機であって、
所定記憶領域（たとえば、Ｑレジスタ）に記憶されたデータを用いて記憶領域のアドレスを特定し、該特定されたアドレスの記憶領域からデータを読み出す特定命令（たとえば、ＬＤＱ命令）をプログラムに基づいて実行する命令実行手段（たとえば、メイン制御部４１）と、
前記遊技機への電源供給が検出されたときに特定記憶領域（たとえば、遊技ＲＡＭ領域）に記憶されているデータに基づいて制御状態を復帰させる（たとえば、図５のＳａ１６〜Ｓａ２６の処理）ための処理（たとえば、遊技ＲＡＭ領域にバックアップ電源を供給する処理、Ｓｋ１に示すレジスタを遊技ＲＡＭ領域に退避させる処理、Ｓｋ２の遊技ＲＡＭ領域にスタックポインタを退避させる処理など）を、該電源供給の停止が検出されたときに（図６の電断処理において）実行する処理実行手段（たとえば、メイン制御部４１）とを備え、
前記所定記憶領域（たとえば、Ｑレジスタ）には、
前記遊技機への電源供給の停止が検出されるまでは前記特定記憶領域のアドレスを特定するために用いられる所定値データ（たとえば、遊技ＲＡＭ領域の上位アドレス「Ｆ０」を特定可能な所定値）が記憶され（たとえば、図７に示すように、電断処理が実行されるタイミングＴ０まではＱレジスタに所定値が格納され）、
前記遊技機への電源供給の停止が検出されたときには前記特定記憶領域とは異なる領域のアドレスを特定するために用いられる特定値データ（たとえば、遊技ＲＡＭ領域とは異なる領域である内部機能レジスタの上位アドレス「Ｆ５」を特定可能な特定値）が記憶される。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
遊技を行う遊技機であって、
遊技者に対する有利度を設定可能な有利度設定手段と、
遊技者にとって有利な有利状態に制御可能な有利状態制御手段と、
前記有利状態に関連する有利状態関連演出を実行可能な有利状態関連演出実行手段とを備え、
前記有利状態関連演出実行手段は、
特定態様を含む複数種類の態様のうちから選択された何れかの態様の前記有利状態関連演出を実行可能であり、
前記有利状態の制御が終了した後に設けられた特定期間が経過した後の期間において前記有利状態の制御を開始した場合、設定された有利度が特定有利度でなければ所定割合で前記特定態様の前記有利状態関連演出を実行する一方、設定された有利度が前記特定有利度であれば前記所定割合よりも高い特定割合で前記特定態様の前記有利状態関連演出を実行し、
前記特定期間において前記有利状態の制御を開始した場合、設定された有利度に関わらず前記所定割合よりも高い割合で前記特定態様の前記有利状態関連演出を実行し、
前記有利状態関連演出の複数種類の態様には、特別態様がさらに含まれ、
前記有利状態関連演出実行手段は、前記有利状態の制御が終了した後いずれの期間が経過した後に前記有利状態の制御を開始したときであっても、設定された有利度が特別有利度でなければ前記特別態様の前記有利状態関連演出を実行しない、遊技機。
【手続補正２】
【補正対象書類名】明細書
【補正対象項目名】０００３
【補正方法】変更
【補正の内容】
【０００３】
このような遊技機として、現在の設定値（現在設定値）に応じた設定示唆演出を実行するものが提案されている（例えば、特許文献１参照）。
【手続補正３】
【補正対象書類名】明細書
【補正対象項目名】０００４
【補正方法】変更
【補正の内容】
【０００４】
【特許文献１】特開２０１７−１３６１９６号公報
【手続補正４】
【補正対象書類名】明細書
【補正対象項目名】０００５
【補正方法】変更
【補正の内容】
【０００５】
特許文献１に記載の技術では、例えば、現在設定値が低設定である旨の示唆が行われたり、現在設定値が高設定である旨の示唆が行われなかったりすることで遊技者が遊技を終了してしまう可能性がある。すなわち、現在設定値に応じた示唆を行うことで遊技者が遊技を終了してしまう虞がある。
【手続補正５】
【補正対象書類名】明細書
【補正対象項目名】０００６
【補正方法】変更
【補正の内容】
【０００６】
本発明は、上記実情に鑑みてなされたものであり、遊技者に長く遊技を継続させ易くすることができる遊技機を提供することを目的とする。
【手続補正６】
【補正対象書類名】明細書
【補正対象項目名】０００７
【補正方法】変更
【補正の内容】
【０００７】
上記目的を達成するため、本発明に係る遊技機は、
遊技を行う遊技機であって、
遊技者に対する有利度を設定可能な有利度設定手段と、
遊技者にとって有利な有利状態に制御可能な有利状態制御手段と、
前記有利状態に関連する有利状態関連演出を実行可能な有利状態関連演出実行手段とを備え、
前記有利状態関連演出実行手段は、
特定態様を含む複数種類の態様のうちから選択された何れかの態様の前記有利状態関連演出を実行可能であり、
前記有利状態の制御が終了した後に設けられた特定期間が経過した後の期間において前記有利状態の制御を開始した場合、設定された有利度が特定有利度でなければ所定割合で前記特定態様の前記有利状態関連演出を実行する一方、設定された有利度が前記特定有利度であれば前記所定割合よりも高い特定割合で前記特定態様の前記有利状態関連演出を実行し、
前記特定期間において前記有利状態の制御を開始した場合、設定された有利度に関わらず前記所定割合よりも高い割合で前記特定態様の前記有利状態関連演出を実行し、
前記有利状態関連演出の複数種類の態様には、特別態様がさらに含まれ、
前記有利状態関連演出実行手段は、前記有利状態の制御が終了した後いずれの期間が経過した後に前記有利状態の制御を開始したときであっても、設定された有利度が特別有利度でなければ前記特別態様の前記有利状態関連演出を実行しない。
（１）他の遊技機は、
遊技を行う遊技機（例えば、遊技機１、スロットマシン、パチンコ遊技機）であって、
表示手段（例えば、液晶表示器５１）と、
演出手段（例えば、下パネル５０）とを備え、
前記遊技機に対する電源供給が開始された後、所定期間（例えば、起動期間）が経過するまでは前記表示手段に画像が表示されず、当該所定期間の経過後に前記表示手段に画像が表示され（例えば、液晶表示器５１には遊技機１に対する電源供給が開始された後に起動期間が経過するまでは画像が表示されない一方で起動期間の経過後に準備中画像が表示され）、
前記演出手段は、前記所定期間において演出を実行する（例えば、下パネル５０が起動期間において点灯を行う）。
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
第一表示領域および当該第一表示領域よりも小さい第二表示領域を有する一の表示装置と、
第一始動領域に遊技球が進入することを契機として取得される第一当否判定情報に基づく第一抽選、および第二始動領域に遊技球が進入することを契機として取得される第二当否判定情報に基づく第二抽選を実行する当否判定手段と、
前記第一抽選を経た第一当否判定結果および前記第二抽選を経た第二当否判定結果を前記第一表示領域または前記第二表示領域にて報知する報知手段と、
を備え、
前記第一始動領域に遊技球が進入するような遊技が促される第一遊技状態が設定されているときには、前記第一当否判定結果が前記第一表示領域にて、前記第二当否判定結果が前記第二表示領域にて報知される第一報知態様とされる一方、
前記第二始動領域に遊技球が進入するような遊技が促される前記第一遊技状態よりも遊技者にとって有利な第二遊技状態が設定されているときには、前記第二当否判定結果が前記第一表示領域にて、前記第一当否判定結果が前記第二表示領域にて報知される第二報知態様とされる
ことを特徴とする遊技機。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
係員により操作可能な係員向け操作部と、
遊技者により操作可能な遊技者向け操作部と、
表示手段と、
前記表示手段を制御可能な制御手段と、を備え、
前記制御手段は、
電源が投入された後の第１期間において、係員向け画面を表示するための設定を行い、
前記第１期間が終了した後の第２期間において、遊技者向け画面を表示するための設定を行い、
前記第２期間において前記表示手段の表示態様が特定態様となるように制御し、
前記第２期間および前記第２期間が終了した以降のいずれにおいても、前記係員向け操作部が操作されたときに前記係員向け画面を前記表示手段に表示させ、
前記第２期間が終了した以降、前記遊技者向け操作部が操作されたときに前記遊技者向け画面を前記表示手段に表示させることが可能である、遊技機。
【手続補正２】
【補正対象書類名】明細書
【補正対象項目名】０００７
【補正方法】変更
【補正の内容】
【０００７】
（１）  遊技を行うことが可能な遊技機（たとえば、スロットマシン，パチンコ遊技機などの遊技機１）であって、
係員により操作可能な係員向け操作部と、
遊技者により操作可能な遊技者向け操作部と、
表示手段（たとえば、液晶表示器５１）と、
前記表示手段を制御可能な制御手段（たとえば、メイン制御部４１、サブ制御部９１）と、を備え、
前記制御手段は、
電源が投入された後の第１期間において、係員向け画面（たとえば、管理者メニュー画面）を表示するための設定を行い、
前記第１期間が終了した後の第２期間において、遊技者向け画面（たとえば、遊技者メニュー画面）を表示するための設定を行い、
前記第２期間において前記表示手段の表示態様が特定態様（たとえば、図３から図５の準備中画像）となるように制御し、
前記第２期間および前記第２期間が終了した以降のいずれにおいても、前記係員向け操作部が操作されたときに前記係員向け画面を前記表示手段に表示させ、
前記第２期間が終了した以降、前記遊技者向け操作部が操作されたときに前記遊技者向け画面を前記表示手段に表示させることが可能である、
遊技機は、以下のように構成されてもよい。
遊技を行うことが可能な遊技機（たとえば、スロットマシン，パチンコ遊技機などの遊技機１）であって、
表示手段（たとえば、液晶表示器５１）と、
前記表示手段を制御可能な制御手段（たとえば、メイン制御部４１、サブ制御部９１）と、
遊技者により操作可能な第１操作部（たとえば、遊技者メニューを表示させるための操作部）と、
前記遊技者と異なる係員により操作可能な第２操作部（たとえば、管理者メニューを表示させるための設定キースイッチ）とを備え、
前記制御手段は、
第１画像を表示するための第１設定が完了した後、前記第１操作部の操作に基づいて前記第１画像（たとえば、遊技者メニュー画面）を前記表示手段に表示させることが可能である（たとえば、図４のｔ２２）とともに、第２画像を表示するための第２設定が完了した後、前記第２操作部の操作に基づいて前記第２画像（たとえば、管理者メニュー画面）を前記表示手段に表示させることが可能であり（たとえば、図５のｔ１８）、
電源が投入された後、前記第１画像を表示するための第１設定が完了するタイミングよりも、前記第２画像を表示するための第２設定が完了するタイミングの方が早くなるように設定を行い（たとえば、図３、図５参照）、
前記第１設定が完了するまで前記表示手段の表示態様が特定態様（たとえば、図３から図５の準備中画面。非表示）となるように制御する（たとえば、図３から図５参照）一方、前記第１設定が完了する前に前記第２操作部が操作された場合は前記第２画像を表示させる（たとえば、図５のｔ１８）。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
電子部品が搭載された回路基板を収納可能であり、射出成形により形成された樹脂成形品から構成される基板ケースを備え、
前記基板ケースは、
該基板ケースの内面から外面に通じる放熱孔と、
金型から樹脂成形品を離型させるときに生じたエジェクタピン痕と、
を有し、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域の前記エジェクタピン痕の数は、前記非特定領域の前記エジェクタピン痕の数よりも多い、
ことを特徴とする遊技機。
【手続補正２】
【補正対象書類名】明細書
【補正対象項目名】０００７
【補正方法】変更
【補正の内容】
【０００７】
手段１の遊技機は、
遊技が可能な遊技機（例えば、スロットマシン１Ａやパチンコ遊技機１Ｂなど）であって、
電子部品（例えば、演出制御用ＣＰＵ１２０やＲＯＭ１２１など）が搭載された回路基板（例えば、演出制御基板２０１，２１１）を収納可能な基板ケース（例えば、基板ケース２００，２１０）を備え、
前記基板ケースは、
該基板ケースの内面から外面に通じる放熱孔と、
金型から樹脂成形品を離型させるときに生じたエジェクタピン痕（例えば、エジェクタピン痕２４０Ａ，２４０Ｂ）と、
を有し、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域の前記エジェクタピン痕の数は、前記非特定領域の前記エジェクタピン痕の数よりも多い（例えば、複数のエジェクタピン痕２４０Ａ，２４０Ｂのうちエジェクタピン痕２４０Ａについては、カバー部材２１３において複数の放熱孔２２０が左右上下方向に整列した状態で形成されている特定領域Ｚ１に８個設けられ、非特定領域Ｚ２に３個設けられている。つまり、特定領域Ｚ１には、非特定領域Ｚ２よりも多くの数のエジェクタピン痕２４０Ａが設けられている。図４参照）、
ことを特徴としている。
この特徴によれば、複数の放熱孔により脆弱となる特定領域に均等な力をかけやすくなるため、金型から樹脂成形品を取外す際の破損を抑制できる。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
電子部品が搭載された回路基板を収納可能であり、射出成形により形成された樹脂成形品から構成される基板ケースを備え、
前記基板ケースは、
該基板ケースの内面から外面に通じる放熱孔と、
金型から樹脂成形品を離型させるときに生じたエジェクタピン痕と、
を有し、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域に、射出成形により生じたゲート痕が設けられており、
前記特定領域の前記エジェクタピン痕の数は、前記非特定領域の前記エジェクタピン痕の数よりも多い、
ことを特徴とする遊技機。
【請求項２】
遊技が可能な遊技機であって、
電子部品が搭載された回路基板を収納可能であり、射出成形により形成された樹脂成形品から構成される基板ケースを備え、
前記基板ケースは、
該基板ケースの内面から外面に通じる放熱孔と、
金型から樹脂成形品を離型させるときに生じたエジェクタピン痕と、
を有し、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域の近傍に、射出成形により生じたゲート痕が設けられており、
前記特定領域の前記エジェクタピン痕の数は、前記非特定領域の前記エジェクタピン痕の数よりも多い、
ことを特徴とする遊技機。
【手続補正２】
【補正対象書類名】明細書
【補正対象項目名】０００７
【補正方法】変更
【補正の内容】
【０００７】
手段１の遊技機は、
遊技が可能な遊技機（例えば、スロットマシン１Ａやパチンコ遊技機１Ｂなど）であって、
電子部品（例えば、演出制御用ＣＰＵ１２０やＲＯＭ１２１など）が搭載された回路基板（例えば、演出制御基板２０１，２１１）を収納可能な基板ケース（例えば、基板ケース２００，２１０）を備え、
前記基板ケースは、
該基板ケースの内面から外面に通じる放熱孔と、
金型から樹脂成形品を離型させるときに生じたエジェクタピン痕と、
を有し、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域に、射出成形により生じたゲート痕が設けられており（例えば、カバー部材２１３の特定領域Ｚ１には、演出制御用ＣＰＵ１２０などの電子部品から放出された熱気を排気するための複数の放熱孔２２０が左右上下方向に整列した状態で形成されているとともに、ゲート痕２３０Ａが設けられている。変形例）、
前記特定領域の前記エジェクタピン痕の数は、前記非特定領域の前記エジェクタピン痕の数よりも多い、
ことを特徴としている。
この特徴によれば、放熱孔の近くから樹脂材が注入されるので、特定領域の全域に樹脂材が行き渡りやすくなる。
【手続補正３】
【補正対象書類名】明細書
【補正対象項目名】０００８
【補正方法】変更
【補正の内容】
【０００８】
手段２の遊技機は、
遊技が可能な遊技機（例えば、スロットマシン１Ａやパチンコ遊技機１Ｂなど）であって、
電子部品（例えば、演出制御用ＣＰＵ１２０やＲＯＭ１２１など）が搭載された回路基板（例えば、演出制御基板２０１，２１１）を収納可能な基板ケース（例えば、基板ケース２００，２１０）を備え、
前記基板ケースは、
該基板ケースの内面から外面に通じる放熱孔と、
金型から樹脂成形品を離型させるときに生じたエジェクタピン痕と、
を有し、
前記エジェクタピン痕は前記基板ケースの内面側に設けられ、
複数の前記放熱孔が２次元的に整列した状態で形成されている特定領域を前記基板ケースの所定面に有し、
前記所定面における前記特定領域の面積は、該所定面において前記放熱孔が設けられていない非特定領域の面積よりも小さく、
前記特定領域の近傍に、射出成形により生じたゲート痕が設けられており（例えば、カバー部材２１３の特定領域Ｚ１には、演出制御用ＣＰＵ１２０などの電子部品から放出された熱気を排気するための複数の放熱孔２２０が左右上下方向に整列した状態で形成されているとともに、特定領域Ｚ１とは異なる非特定領域Ｚ２における特定領域Ｚ１の上方近傍位置にはゲート痕２３０Ａが形成されている。図４参照）、
前記特定領域の前記エジェクタピン痕の数は、前記非特定領域の前記エジェクタピン痕の数よりも多い、
ことを特徴としている。
この特徴によれば、放熱孔の近くから樹脂材が注入されるので、特定領域の全域に樹脂材が行き渡りやすくなる。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
前記遊技機の前面に設けられた操作手段と、
表示手段と、
前記表示手段を制御可能な制御手段と、を備え、
前記制御手段は、
電源が投入された後の第１期間において、エラー画面を表示するための設定を行い、
前記第１期間が終了した後の第２期間において、遊技者向け画面を表示するための設定を行い、
前記第２期間において前記表示手段の表示態様が特定態様となるように制御し、
前記第２期間および前記第２期間が終了した以降のいずれにおいても、エラーが発生したときに前記エラー画面を前記表示手段に表示させ、
前記第２期間が終了した以降、前記操作手段が操作されたときに前記遊技者向け画面を前記表示手段に表示させることが可能である、遊技機。
【手続補正２】
【補正対象書類名】明細書
【補正対象項目名】０００７
【補正方法】変更
【補正の内容】
【０００７】
（１）  遊技を行うことが可能な遊技機（たとえば、スロットマシン，パチンコ遊技機などの遊技機１）であって、
前記遊技機の前面に設けられた操作手段と、
表示手段（たとえば、液晶表示器５１）と、
前記表示手段を制御可能な制御手段（たとえば、メイン制御部４１、サブ制御部９１）と、を備え、
前記制御手段は、
電源が投入された後の第１期間において、エラー画面（たとえば、エラー画面）を表示するための設定を行い、
前記第１期間が終了した後の第２期間において、遊技者向け画面（たとえば、遊技者メニュー画面）を表示するための設定を行い、
前記第２期間において前記表示手段の表示態様が特定態様（たとえば、図３から図５の準備中画像）となるように制御し、
前記第２期間および前記第２期間が終了した以降のいずれにおいても、エラーが発生したときに前記エラー画面を前記表示手段に表示させ、
前記第２期間が終了した以降、前記操作手段が操作されたときに前記遊技者向け画面を前記表示手段に表示させることが可能である。
遊技機は、以下のように構成されてもよい。
遊技を行うことが可能な遊技機（たとえば、スロットマシン，パチンコ遊技機などの遊技機１）であって、
表示手段（たとえば、液晶表示器５１）と、
前記表示手段を制御可能な制御手段（たとえば、メイン制御部４１、サブ制御部９１）とを備え、
前記制御手段は、
第１画像を表示するための第１設定が完了した後、第１条件（たとえば、演出を実行する条件、遊技者の操作を検出したとの条件）が成立したことに基づいて前記第１画像（たとえば、遊技者メニュー画面、演出画像、背景画像、予告画像）を前記表示手段に表示させることが可能である（たとえば、図４のｔ２１，ｔ２２）とともに、第２画像を表示するための第２設定が完了した後、前記第１条件よりも重要度（たとえば、優先度）の高い第２条件（たとえば、設定変更操作を検出したとの条件、エラーが発生したとの条件）が成立したことに基づいて前記第２画像（たとえば、管理者メニュー画面、エラー画面、テスト画面）を前記表示手段に表示させることが可能であり（たとえば、図３のｔ１６、図４のｔ２４、図５のｔ１８）、
電源が投入された後、前記第１設定が完了するタイミングよりも、前記第２設定が完了するタイミングの方が早くなるように設定を行い（たとえば、図３、図５参照）、
前記第１設定が完了するまで前記表示手段の表示態様が特定態様（たとえば、図３から図５の準備中画像。非表示）となるように制御する（たとえば、図３から図５参照）一方、前記第１設定が完了する前に前記第２条件が成立した場合は前記第２画像を表示させる（たとえば、図３のｔ１６、図５のｔ１８）。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
遊技を行う遊技機であって、
第１条件が成立したときに特典を付与するか否かを決定可能であるとともに、第２条件が成立したときに特典を付与するか否かを決定可能である特典付与決定手段と、
前記特典が付与される可能性がある旨を報知する前兆演出の実行を制御する前兆演出実行制御手段とを備え、
前記前兆演出実行制御手段は、
遊技の進行における一の遊技において前記第１条件と前記第２条件が成立し、該第２条件にもとづいて前記特典を付与する旨が決定されたときと、
遊技の進行における一の遊技において前記第１条件が成立し、該一の遊技の後の遊技において前記第２条件が成立し、該第２条件にもとづいて前記特典を付与する旨が決定されたときと、
で異なる制御態様で前記前兆演出の実行を制御する、遊技機。
【手続補正２】
【補正対象書類名】明細書
【補正対象項目名】０００７
【補正方法】変更
【補正の内容】
【０００７】
（Ａ）遊技を行う遊技機（例えば、スロットマシン１）であって、
第１条件（例えば、メイン制御部４１が１０００ポイントを蓄積する条件）が成立したときに特典を付与するか否かを決定可能であるとともに、第２条件（例えば、メイン制御部４１が１０００ポイント蓄積した後さらに１０００ポイントを蓄積する条件）が成立したときに特典を付与するか否かを決定可能である特典付与決定手段と、
前記特典が付与される可能性がある旨を報知する前兆演出（例えば、枠ランプ６１の点灯演出、各示唆演出の示唆ゲーム表示、ＡＴ抽選結果示唆演出、チャンスアップ示唆演出、キャラ登場演出、特訓演出、バトル演出）の実行を制御する前兆演出実行制御手段とを備え、
前記前兆演出実行制御手段は、
遊技の進行における一の遊技において前記第１条件と前記第２条件が成立（例えば、メイン制御部が一度に５０００ポイント蓄積した場合）し、該第２条件にもとづいて前記特典を付与する旨が決定されたときと、
遊技の進行における一の遊技において前記第１条件が成立し、該一の遊技の後の遊技において前記第２条件が成立（例えば、メイン制御部が１ゲーム目に１０００ポイント蓄積し、後のゲームで再び１０００ポイント蓄積した場合）し、該第２条件にもとづいて前記特典を付与する旨が決定されたときと、
で異なる制御態様で前記前兆演出の実行を制御する、遊技機。
（１）遊技を行う遊技機（例えば、スロットマシン１）であって、
所定条件（例えば、メイン制御部４１が１０００ポイントを蓄積する条件）が成立したときに、特典（例えば、ＡＴの制御）を付与するか否かを決定する特典付与決定手段（例えば、メイン制御部４１が１０００ポイントを蓄積する度にＡＴ抽選を行う処理）と、
前記特典が付与される可能性がある旨を報知する前兆演出（例えば、枠ランプ６１の点灯演出、各示唆演出の示唆ゲーム表示、ＡＴ抽選結果示唆演出、チャンスアップ示唆演出、キャラ登場演出、特訓演出、バトル演出）の実行を制御する前兆演出実行制御手段（例えば、サブ制御部９１が実行するステップＳｃ１〜１３、Ｓｄ１〜Ｓｄ８、Ｓｃ５１、Ｓｃ５２、Ｓｅ１〜Ｓｅ６、Ｓｃ１０１〜Ｓｃ１０６、Ｓｃ１５１〜Ｓｃ１５３の処理）とを備え、
前記所定条件は、所定タイミングに複数回成立するときと、所定期間に亘って複数回成立するときとがあり（例えば、メイン制御部４１が一度に５０００ポイント蓄積するときと、３ゲーム以内に１０００ポイントずつ蓄積するときとがあり）、
前記前兆演出実行制御手段は、前記所定条件が前記所定タイミングに複数回成立したときには、前記所定条件が前記所定期間に亘って複数回成立したときとは異なる制御態様で前記前兆演出の実行を制御する（例えば、サブ制御部９１がステップＳｃ１〜１３、Ｓｃ５１、Ｓｃ５２、Ｓｅ１〜Ｓｅ６、Ｓｃ１０１〜Ｓｃ１０６、Ｓｃ１５１〜Ｓｃ１５３の処理を実行する）。
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
空間が形成された基板と、
前記空間に対応して、前記基板上に形成された弾性層と、
前記空間に対応して、前記弾性層上に形成された圧電素子と、
を備え、
前記弾性層は、前記空間側に、平面視で前記空間と重なり前記空間よりも広い底部と、
前記底部を囲む壁部とを有する凹部が設けられ、
前記壁部は、前記底部から前記空間に向かう方向に広くなるように傾斜した曲面を有し、
前記曲面の曲率半径は、６０ｎｍ〜１０００ｎｍであることを特徴とする圧電デバイス。
【請求項２】
前記曲面の一部は、樹脂で覆われていることを特徴とする請求項１に記載の圧電デバイス。
【請求項３】
前記基板は、複数の前記空間が並んで形成され、
１インチ当たりの前記空間の数は、３００以上６００以下であることを特徴とする請求項１または２に記載の圧電デバイス。
【請求項４】
前記基板は、複数の前記空間が並設方向に並んで形成され、
前記底部の前記並設方向における幅は、前記空間の前記並設方向における幅よりも大きいことを特徴とする請求項１〜３のいずれか１項に記載の圧電デバイス。
【請求項５】
前記基板は、複数の前記空間が並設方向に並んで形成され、
前記壁部は、前記凹部内の前記並設方向に沿った両側に設けられることを特徴とする請求項１〜４のいずれか１項に記載の圧電デバイス。
【請求項６】
前記壁部は、前記基板の前記弾性層側の面に接続することを特徴とする請求項１〜５のいずれか１項に記載の圧電デバイス。
【請求項７】
前記基板は、シリコンにより構成され、
前記弾性層は、酸化シリコンにより構成されることを特徴とする請求項１〜６のいずれか１項に記載の圧電デバイス。
【請求項８】
請求項１〜７のいずれか１項に記載の圧電デバイスを備え、前記圧電素子の駆動により前記空間内に充填された液体を吐出することを特徴とする液体吐出ヘッド。
【請求項９】
請求項８に記載の液体吐出ヘッドを備えることを特徴とする液体吐出装置。
【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
装飾置物の製造方法であって、
複数の植物片のそれぞれに対して、乾燥方法、温度条件、または、乾燥時間が異なる乾燥処理を施して、水分含量および空気含量が異なる複数の花材を調製する第１のステップと、
前記調整された複数の花材を密閉透明容器内に投入することによって、前記密閉透明容器内に分注された漂遊媒質中において、前記複数の花材の水分含量および空気含量に相応する深さ位置で、前記複数の花材を漂遊させる第２のステップと
を有することを特徴とする装飾置物の製造方法。
【請求項２】
前記第２のステップは、前記密閉透明容器内に気溜まりを形成するステップを有することを特徴とする請求項１に記載された装飾置物の製造方法。
【請求項３】
前記気溜まりは、不活性ガスにより形成していることを特徴とする請求項２に記載された装飾置物の製造方法。
【請求項４】
前記漂遊媒質は、流動パラフィンであって、当該流動パラフィン中には、多価アルコールが含有されていることを特徴とする請求項１から３のいずれかに記載された装飾置物の製造方法。
【請求項５】
前記多価アルコールは、生花の水分を多価アルコールで置換してなるプリザーブドフラワーから溶出させたものであることを特徴とする請求項４に記載された装飾置物の製造方法。
【請求項６】
前記調整された花材は、酸化防止剤を含有させた水溶液に乾燥処理前の花材を浸漬させた後に、前記乾燥処理を施したものであることを特徴とする請求項１から５のいずれかに記載された装飾置物の製造方法。
【手続補正２】
【補正対象書類名】明細書
【補正対象項目名】００１３
【補正方法】変更
【補正の内容】
【００１３】
上記従来の課題を解決するために、本発明は、以下のステップを有する装飾置物の製造方法を提供する。第１のステップでは、複数の植物片のそれぞれに対して、乾燥方法、温度条件、または、乾燥時間が異なる乾燥処理を施して、水分含量および空気含量が異なる複数の花材を調製する。第２のステップでは、調整された複数の花材を密閉透明容器内に投入することによって、密閉透明容器内に分注された漂遊媒質中において、複数の花材の水分含量および空気含量に相応する深さ位置で、複数の花材を漂遊させる。
【手続補正３】
【補正対象書類名】明細書
【補正対象項目名】００１４
【補正方法】変更
【補正の内容】
【００１４】
ここで、本発明において、上記第２のステップは、密閉透明容器内に気溜まりを形成するステップを有していてもよい。また、この気溜まりは、不活性ガスにより形成してもよい。また、上記漂遊媒質は、流動パラフィンであってもよく、この流動パラフィン中には、多価アルコールが含有されていることが好ましい。また、上記多価アルコールは、生花の水分を多価アルコールで置換してなるプリザーブドフラワーから溶出させたものであってもよい。さらに、上記調整された花材は、酸化防止剤を含有させた水溶液に乾燥処理前の花材を浸漬させた後に、上記乾燥処理を施したものであってもよい。
【手続補正４】
【補正対象書類名】明細書
【補正対象項目名】００１５
【補正方法】変更
【補正の内容】
【００１５】
本発明によれば、密閉透明容器内に分注された漂遊媒質中において、複数の花材の水分含量および空気含量に相応する深さ位置で複数の花材が漂遊するため、漂遊媒質中においてバランス良く草花が分散した装飾置物を実現できる。
【手続補正５】
【補正対象書類名】明細書
【補正対象項目名】００１６
【補正方法】変更
【補正の内容】
【００１６】
また、前記密閉透明容器内に気溜まりを形成すれば、看者が容器を傾けるなどすることにより、漂遊媒質中において拠り所無く漂遊する草花に動きを生じさせることができ、静的のみならず、草花の動的な美しさを看者に視認させることができる。
【手続補正６】
【補正対象書類名】明細書
【補正対象項目名】００１８
【補正方法】変更
【補正の内容】
【００１８】
また、前記漂遊媒質として流動パラフィンを用い、この流動パラフィン中には、多価アルコールを含有させることとすれば、自らが酸化することで流動パラフィン液中に溶存する酸素を低下させることができ、花材の酸化による劣化、特に色あせ等を比較的長期に亘り防止することができる。
【手続補正７】
【補正対象書類名】明細書
【補正対象項目名】００２０
【補正方法】変更
【補正の内容】
【００２０】
また、前記乾燥処理が施された花材は、酸化防止剤を含有させた水溶液に乾燥処理前の花材を浸漬し、同水溶液を含浸させた後に乾燥処理を施したものであることとすれば、漂遊媒質に難溶である酸化防止剤を使用して花材の酸化退色を抑制することができ、花材本来の美しい色合いを長期間に亘り保持させることができる。
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
搬送経路に沿って搬送される媒体に液体を吐出して記録を行う記録部と、
前記搬送経路における前記記録部よりも上流側の位置に設けられ、前記媒体を下流側に搬送する第１搬送ローラーと、
前記搬送経路における前記第１搬送ローラーよりも下流側で且つ前記記録部よりも上流側の位置に設けられ、前記媒体を下流側に搬送する第２搬送ローラーと、
前記搬送経路における前記記録部よりも下流側の位置に前記第２搬送ローラーと同期して回転するように設けられ、前記媒体を下流側に搬送する第３搬送ローラーと、
少なくとも前記第１搬送ローラーと、前記第２搬送ローラーの回転を制御する制御部と、を備え、
前記搬送経路を先行媒体と後続媒体とが所定の間隔をおいて連続して搬送される場合において、
前記制御部は、前記先行媒体の記録終了時における搬送方向の後端の位置に応じて、前記後続媒体の搬送方向の前端が前記第２搬送ローラーに到達するまでの前記第２搬送ローラーの回転速度を制御する、ことを特徴とする記録装置。
【請求項２】
前記第２搬送ローラーと前記第３搬送ローラーの間の所定位置を閾値位置とした際に、
前記制御部は、前記閾値位置に対する前記先行媒体の前記後端の位置に基づいて、前記後続媒体の前記前端が前記第２搬送ローラーに到達するまでの前記第２搬送ローラーの回転速度を制御する、ことを特徴とする請求項１に記載の記録装置。
【請求項３】
前記先行媒体の記録終了時に前記先行媒体の後端が前記閾値位置を越えていない場合において、
前記制御部は、
前記先行媒体の記録終了時点での位置から、前記後続媒体の前端が前記第２搬送ローラーに到達するまでの第１時間と、
前記先行媒体の記録終了時点での位置から、前記先行媒体の後端が前記閾値位置に到達するまでの第２時間と、を算出し、
前記第２時間が前記第１時間よりも短くなるように前記第２搬送ローラーの回転速度を決定する、ことを特徴とする請求項２に記載の記録装置。
【請求項４】
前記搬送経路における前記第１搬送ローラーと前記第２搬送ローラーとの間に配置されて前記媒体における搬送方向の端部を検出可能な検出部と、
前記第１搬送ローラーの第１回転速度が設定された第１速度テーブル及び前記第２搬送ローラーの回転速度について複数の第２回転速度が設定された第２速度テーブルを記憶する記憶部と、
を更に備え、
前記制御部は、
前記先行媒体に対する記録終了時点での当該先行媒体の後端が、前記搬送経路における前記検出部よりも下流側であって且つ前記閾値位置よりも上流側に位置している場合には、
前記第１速度テーブルに設定された前記第１回転速度に基づいて前記第１時間を算出し、前記第２速度テーブルに設定された複数の第２回転速度に基づいて複数の前記第２時間を算出し、
複数の前記第２時間のうちで前記第１時間よりも短く且つ最短の到達時間となる一つの前記第２時間に対応する回転速度を複数の前記第２回転速度のうちから最適回転速度として選択し、当該最適回転速度で前記第２搬送ローラーを回転させることを特徴とする請求項３に記載の記録装置。
【請求項５】
前記制御部は、
複数の前記第２時間のうちに前記第１時間よりも短い時間がない場合は、前記第１搬送ローラーの回転を停止させる一方、前記第２速度テーブルに設定されている複数の第２回転速度のうち最高速度となる一つの前記第２回転速度で前記第２搬送ローラーを回転させ、その回転を前記先行媒体の後端が前記閾値位置に到達したときに停止させ、その後に、前記第１搬送ローラーの回転を再開させることを特徴とする請求項４に記載の記録装置。
【請求項６】
前記制御部は、
前記先行媒体に対する記録終了時点での当該先行媒体の後端が、前記搬送経路における前記検出部よりも上流側に位置している場合には、前記第２速度テーブルに設定されている複数の前記第２回転速度のうち最高速度となる一つの前記第２回転速度で前記第２搬送ローラーを回転させ、その回転を前記先行媒体の後端が前記閾値位置に到達したときに停止させることを特徴とする請求項４又は請求項５に記載の記録装置。
【請求項７】
前記制御部は、
前記先行媒体に対する記録終了時点での当該先行媒体の後端が、前記搬送経路における前記閾値位置よりも下流側に位置している場合には、前記第２搬送ローラーの回転を停止させ、前記第１搬送ローラーにより搬送される前記後続媒体の前端が前記第２搬送ローラーの位置に到達したときに、前記第２搬送ローラーの回転を再開させることを特徴とする請求項２〜請求項６のうち何れか一項に記載の記録装置。
【請求項８】
前記閾値位置は、前記第２搬送ローラーの位置から前記後続媒体に対する記録部による記録開始位置までの距離に相当する距離だけ、搬送方向において前記第３搬送ローラーの位置から上流側に離れた位置に設定されることを特徴とする請求項２〜請求項７のうち何れか一項に記載の記録装置。
【請求項９】
前記制御部は、
前記記録部による前記先行媒体に対する記録の終了後であって前記第２搬送ローラーの回転を停止させているときに、前記第１搬送ローラーの回転により前記後続媒体を下流側に搬送して当該後続媒体の前端を前記第２搬送ローラーに突き当てさせることを特徴とする請求項１〜請求項８のうち何れか一項に記載の記録装置。